(57)【特許請求の範囲】
【請求項１】
第１方向及び第２方向に沿って複数のタッチ電極ブロックのマトリックスを有する相互容量タッチ基板であって、前記複数のタッチ電極ブロックは、複数のタッチ制御繰り返しユニットに分けられ、
前記複数のタッチ制御繰り返しユニットの各々は、タッチ感知電極と、前記タッチ感知電極の第１側における一つ又は複数の第１タッチ走査電極と、前記タッチ感知電極の第２側における一つ又は複数の第２タッチ走査電極とを含み、前記第１側は前記第２側と異なり、
前記タッチ感知電極は、前記一つ又は複数の第１タッチ走査電極の少なくとも一部及び前記一つ又は複数の第２タッチ走査電極の少なくとも一部に隣接し、
前記複数のタッチ制御繰り返しユニットは、互いに電気的に絶縁され、
前記タッチ感知電極は、互いに電気的に接続される複数のタッチ感知電極ブロックを含み、前記一つ又は複数の第１タッチ走査電極の各々及び前記一つ又は複数の第２タッチ走査電極の各々は、複数のタッチ走査電極ブロックを含み、
前記一つ又は複数の第１タッチ走査電極の各々における前記複数のタッチ走査電極ブロックは、互いに電気的に接続され、
前記一つ又は複数の第２タッチ走査電極の各々における前記複数のタッチ走査電極ブロックは、互いに電気的に接続され、
前記一つ又は複数の第１タッチ走査電極は、互いに電気的に絶縁され、
前記一つ又は複数の第２タッチ走査電極は、互いに電気的に絶縁され、
複数のサブピクセル領域を含み、
前記複数のタッチ感知電極ブロックの各々は、前記複数のサブピクセル領域のうち一つにあり、
前記複数のタッチ走査電極ブロックの各々は、前記複数のサブピクセル領域のうちの別の一つにある、相互容量タッチ基板。
【請求項２】
前記一つ又は複数の第１タッチ走査電極の各々における前記複数のタッチ走査電極ブロックのうち少なくとも一つは、前記タッチ感知電極における前記複数のタッチ感知電極ブロックのうち一つに隣接し、
前記一つ又は複数の第２タッチ走査電極の各々における前記複数のタッチ走査電極ブロックのうち少なくとも一つは、前記タッチ感知電極における前記複数のタッチ感知電極ブロックのうち一つに隣接することを特徴とする請求項１に記載の相互容量タッチ基板。
【請求項３】
前記タッチ感知電極は、前記複数のタッチ感知電極ブロックを電気的に接続させる複数のタッチ感知電極ブリッジを更に含み、
前記一つ又は複数の第１タッチ走査電極の各々及び前記一つ又は複数の第２タッチ走査電極の各々は、複数のタッチ走査電極ブリッジを更に含み、
前記一つ又は複数の第１タッチ走査電極の各々における前記複数のタッチ走査電極ブロックは、前記複数のタッチ走査電極ブリッジのうち一つ又は複数により互いに電気的に接続され、
前記一つ又は複数の第２タッチ走査電極の各々における前記複数のタッチ走査電極ブロックは、前記複数のタッチ走査電極ブリッジのうち一つ又は複数により互いに電気的に接続され、
前記複数のタッチ感知電極ブロック、前記複数のタッチ感知電極ブリッジ、前記一つ又は複数の第１タッチ走査電極及び前記一つ又は複数の第２タッチ走査電極における前記複数のタッチ走査電極ブリッジ及び前記複数のタッチ走査電極ブロックは、同一層にあることを特徴とする請求項１に記載の相互容量タッチ基板。
【請求項４】
前記タッチ感知電極、前記一つ又は複数の第１タッチ走査電極及び前記一つ又は複数の第２タッチ走査電極は、時分割駆動モードで動作され、
前記時分割駆動モードは、表示モードと、タッチ制御モードとを含み、
前記タッチ感知電極、前記一つ又は複数の第１タッチ走査電極及び前記一つ又は複数の第２タッチ走査電極は、前記表示モード期間中において共通電圧信号を印加するための共通電極であり、
前記タッチ感知電極、前記一つ又は複数の第１タッチ走査電極及び前記一つ又は複数の第２タッチ走査電極は、前記タッチ制御モード期間中においてタッチ信号を導通するためのタッチ制御電極であることを特徴とする請求項１に記載の相互容量タッチ基板。
【請求項５】
前記タッチ感知電極は、前記第１方向に延在し、
前記一つ又は複数の第１タッチ走査電極、前記タッチ感知電極、前記一つ又は複数の第２タッチ走査電極は、前記第２方向に配列ことを特徴とする請求項１に記載の相互容量タッチ基板。
【請求項６】
前記一つ又は複数の第１タッチ走査電極のうち一つは、前記第１方向に沿って前記タッチ感知電極と同一の距離に亘って延在し、
前記一つ又は複数の第２タッチ走査電極のうち一つは、前記第１方向に沿って前記タッチ感知電極と同一の距離に亘って延在することを特徴とする請求項５に記載の相互容量タッチ基板。
【請求項７】
前記タッチ感知電極は、前記第１方向に沿って第１部と、第２部とを含み、
前記一つ又は複数の第１タッチ走査電極の１つ目は、前記タッチ感知電極の前記第１部に隣接し、前記一つ又は複数の第１タッチ走査電極の２つ目は、前記タッチ感知電極の前記第２部に隣接し、
前記一つ又は複数の第２タッチ走査電極の１つ目は、前記タッチ感知電極の前記第１部に隣接し、前記一つ又は複数の第２タッチ走査電極の２つ目は、前記タッチ感知電極の前記第２部に隣接することを特徴とする請求項５に記載の相互容量タッチ基板。
【請求項８】
前記一つ又は複数の第１タッチ走査電極は、前記第２方向に沿って順に第１電極と、第２電極と、第３電極とを含み、
前記一つ又は複数の第２タッチ走査電極は、前記第２方向に沿って順に第４電極と、第５電極と、第６電極とを含み、
前記タッチ感知電極は、前記第１方向に沿って順に第１部と、第２部と、第３部とを含み、
前記第３部は、前記第１電極及び前記第６電極に隣接し、
前記第２部は、前記第２電極及び前記第５電極に隣接し、
前記第１部は、前記第３電極及び前記第４電極に隣接することを特徴とする請求項５に記載の相互容量タッチ基板。
【請求項９】
複数のタッチ感知信号ライン及び複数のタッチ走査信号ラインを更に含み、
前記タッチ感知電極は、前記複数のタッチ感知信号ラインのうち一つに電気的に接続され、
前記一つ又は複数の第１タッチ走査電極の各々は、前記複数のタッチ走査信号ラインのうち一つに電気的に接続され、
前記一つ又は複数の第２タッチ走査電極の各々は、前記複数のタッチ走査信号ラインのうち一つに電気的に接続されることを特徴とする請求項１に記載の相互容量タッチ基板。
【請求項１０】
前記複数のタッチ感知信号ラインの総数と前記複数のタッチ走査信号ラインの総数との比率は、１：２Ｎであり、Ｎは、１より大きいか又はそれに等しい整数であることを特徴とする請求項９に記載の相互容量タッチ基板。
【請求項１１】
請求項１乃至１０のいずれか１項に記載の相互容量タッチ基板を含む相互容量タッチ制御表示装置。
【請求項１２】
請求項１乃至１０のいずれか１項に記載の相互容量タッチ基板を含む相互容量タッチパネル。
【請求項１３】
請求項１乃至１０のいずれか１項に記載の相互容量タッチ基板の駆動方法であって、
一つ又は複数の第１タッチ走査信号をそれぞれ前記一つ又は複数の第１タッチ走査電極に印加するステップを含むことを特徴とする方法。
【請求項１４】
前記一つ又は複数の第１タッチ走査信号は、第１タッチ走査期間で印加され、
前記方法は、前記第１タッチ走査期間より時間的に後である第２タッチ走査期間で、一つ又は複数の第２タッチ走査信号をそれぞれ前記一つ又は複数の第２タッチ走査電極に印加するステップを更に含むことを特徴とする請求項１３に記載の方法。
【請求項１５】
一つ又は複数の第２タッチ走査信号をそれぞれ前記一つ又は複数の第２タッチ走査電極に印加するステップを更に含み、
前記一つ又は複数の第１タッチ走査信号と前記一つ又は複数の第２タッチ走査信号とは、相であり、且つ同時に印加されることを特徴とする請求項１３に記載の方法。
【請求項１６】
一つ又は複数のグラウンド信号をそれぞれ前記一つ又は複数の第２タッチ走査電極に印加するステップを更に含み、
前記一つ又は複数の第１タッチ走査信号と前記一つ又は複数のグラウンド信号とは同時に印加されることを特徴とする請求項１３に記載の方法。
【請求項１７】
前記タッチ感知電極、前記一つ又は複数の第１タッチ走査電極及び前記一つ又は複数の第２タッチ走査電極は、時分割駆動モードで動作され、
前記時分割駆動モードは、表示モードと、タッチ制御モードとを含み、
前記方法は、
前記表示モード期間中において、共通電圧信号を前記タッチ感知電極、前記一つ又は複数の第１タッチ走査電極及び前記一つ又は複数の第２タッチ走査電極に印加するステップと、
前記タッチ制御モード期間中において、前記一つ又は複数の第１タッチ走査信号をそれぞれ前記一つ又は複数の第１タッチ走査電極に印加するステップと
を含むことを特徴とする請求項１３に記載の方法。
【請求項１８】
請求項１１に記載の相互容量タッチ制御表示装置を駆動するための駆動回路であって、
前記タッチ感知電極、前記一つ又は複数の第１タッチ走査電極及び前記一つ又は複数の第２タッチ走査電極は、時分割駆動モードで動作され、
前記時分割駆動モードは、表示モードと、タッチ制御モードとを含み、
前記駆動回路は、
前記表示モード期間中において、共通電圧信号を前記タッチ感知電極、前記一つ又は複数の第１タッチ走査電極及び前記一つ又は複数の第２タッチ走査電極に印加し、
前記タッチ制御モード期間中において、一つ又は複数の第１タッチ走査信号をそれぞれ前記一つ又は複数の第１タッチ走査電極に印加するように構成される電気回路を含むことを特徴とする駆動回路。
【発明の詳細な説明】
【技術分野】
【０００１】
本開示は、表示技術に関し、特に、相互容量タッチ基板、相互容量タッチ制御表示装置、相互容量タッチパネル、相互容量タッチ基板の駆動方法及び相互容量タッチ制御表示装置を駆動するための駆動回路に関する。
【背景技術】
【０００２】
タッチ制御表示パネルは、携帯電話、コンピュータ表示パネル、タッチスクリーン、衛星ナビゲーション装置及びデジタルカメラのような表示分野における幅広い用途が見つかっている。タッチ制御表示パネルは、３つの種類、即ち、アドオン型タッチパネル、オンセル型タッチパネル、インセルタッチ型パネルに分類されることが可能である。タッチ制御表示パネルは、自己容量型又は相互容量型タッチ表示パネルであることが可能である。タッチ制御表示パネルは、タッチ電極としてメッシュ電極を用いるか、又はタッチ電極材料として金属酸化物材料（例えば、インジウムスズ酸化物）を用いることが可能である。
【発明の概要】
【０００３】
一つの側面において、本発明は、第１方向及び第２方向に沿って複数のタッチ電極ブロックのマトリックスを有する相互容量タッチ基板であって、前記複数のタッチ電極ブロックは、複数のタッチ制御繰り返しユニットに分けられ、前記複数のタッチ制御繰り返しユニットの各々は、タッチ感知電極と、前記タッチ感知電極の第１側における一つ又は複数の第１タッチ走査電極と、前記タッチ感知電極の第２側における一つ又は複数の第２タッチ走査電極とを含み、前記第１側は前記第２側と異なり、前記タッチ感知電極は、前記一つ又は複数の第１タッチ走査電極の少なくとも一部及び前記一つ又は複数の第２タッチ走査電極の少なくとも一部に当接し、前記複数のタッチ制御繰り返しユニットは、互いに電気的に絶縁される、相互容量タッチ基板を提供する。
【０００４】
選択可能に、前記タッチ感知電極は、互いに電気的に接続される複数のタッチ感知電極ブロックを含み、前記一つ又は複数の第１タッチ走査電極の各々及び前記一つ又は複数の第２タッチ走査電極の各々は、複数のタッチ走査電極ブロックを含み、前記一つ又は複数の第１タッチ走査電極の各々における前記複数のタッチ走査電極ブロックは、互いに電気的に接続され、前記一つ又は複数の第２タッチ走査電極の各々における前記複数のタッチ走査電極ブロックは、互いに電気的に接続され、前記一つ又は複数の第１タッチ走査電極は、互いに電気的に絶縁され、前記一つ又は複数の第２タッチ走査電極は、互いに電気的に絶縁される。
【０００５】
選択可能に、前記一つ又は複数の第１タッチ走査電極の各々における前記複数のタッチ走査電極ブロックのうち少なくとも一つは、前記タッチ感知電極における前記複数のタッチ感知電極ブロックのうち一つに当接し、前記一つ又は複数の第２タッチ走査電極の各々における前記複数のタッチ走査電極ブロックのうち少なくとも一つは、前記タッチ感知電極における前記複数のタッチ感知電極ブロックのうち一つに当接する。
【０００６】
選択可能に、前記タッチ感知電極は、前記複数のタッチ感知電極ブロックを電気的に接続させる複数のタッチ感知電極ブリッジを更に含み、前記一つ又は複数の第１タッチ走査電極の各々及び前記一つ又は複数の第２タッチ走査電極の各々は、複数のタッチ走査電極ブリッジを更に含み、前記一つ又は複数の第１タッチ走査電極の各々における前記複数のタッチ走査電極ブロックは、前記複数のタッチ走査電極ブリッジのうち一つ又は複数により互いに電気的に接続され、前記一つ又は複数の第２タッチ走査電極の各々における前記複数のタッチ走査電極ブロックは、前記複数のタッチ走査電極ブリッジのうち一つ又は複数により互いに電気的に接続され、前記複数のタッチ感知電極ブロック、前記複数のタッチ感知電極ブリッジ、前記一つ又は複数の第１タッチ走査電極及び前記一つ又は複数の第２タッチ走査電極における前記複数のタッチ走査電極ブリッジ及び前記複数のタッチ走査電極ブロックは、同一層にある。
【０００７】
選択可能に、前記相互容量タッチ基板は、複数のサブピクセル領域を含み、前記複数のタッチ感知電極ブロックの各々は、前記複数のサブピクセル領域のうち一つにあり、前記複数のタッチ走査電極ブロックの各々は、前記複数のサブピクセル領域のうち一つにある。
【０００８】
選択可能に、前記タッチ感知電極、前記一つ又は複数の第１タッチ走査電極及び前記一つ又は複数の第２タッチ走査電極は、時分割駆動モードで動作され、前記時分割駆動モードは、表示モードと、タッチ制御モードとを含み、前記タッチ感知電極、前記一つ又は複数の第１タッチ走査電極及び前記一つ又は複数の第２タッチ走査電極は、前記表示モード期間中において共通電圧信号を印加するための共通電極であり、前記タッチ感知電極、前記一つ又は複数の第１タッチ走査電極及び前記一つ又は複数の第２タッチ走査電極は、前記タッチ制御モード期間中においてタッチ信号を導通するためのタッチ制御電極である。
【０００９】
選択可能に、前記タッチ感知電極は、実質的に前記第１方向に沿って延在し、前記一つ又は複数の第１タッチ走査電極、前記タッチ感知電極、前記一つ又は複数の第２タッチ走査電極は、実質的に前記第２方向に沿って設けられる。
【００１０】
選択可能に、前記一つ又は複数の第１タッチ走査電極のうち一つは、実質的に前記第１方向に沿って前記タッチ感知電極と実質的に同一の距離に亘って延在し、前記一つ又は複数の第２タッチ走査電極のうち一つは、実質的に前記第１方向に沿って前記タッチ感知電極と実質的に同一の距離に亘って延在する。
【００１１】
選択可能に、前記タッチ感知電極は、実質的に前記第１方向に沿って第１部と、第２部とを含み、前記一つ又は複数の第１タッチ走査電極の１つ目は、前記タッチ感知電極の前記第１部に当接し、前記一つ又は複数の第１タッチ走査電極の２つ目は、前記タッチ感知電極の前記第２部に当接し、前記一つ又は複数の第２タッチ走査電極の１つ目は、前記タッチ感知電極の前記第１部に当接し、前記一つ又は複数の第２タッチ走査電極の２つ目は、前記タッチ感知電極の前記第２部に当接する。
【００１２】
選択可能に、前記一つ又は複数の第１タッチ走査電極は、前記第２方向に沿って順に第１電極と、第２電極と、第３電極とを含み、前記一つ又は複数の第２タッチ走査電極は、前記第２方向に沿って順に第４電極と、第５電極と、第６電極とを含み、前記タッチ感知電極は、前記第１方向に沿って順に第１部と、第２部と、第３部とを含み、前記第３部は、前記第１電極及び前記第６電極に当接し、前記第２部は、前記第２電極及び前記第５電極に当接し、前記第１部は、前記第３電極及び前記第４電極に当接する。
【００１３】
選択可能に、前記相互容量タッチ基板は、複数のタッチ感知信号ライン及び複数のタッチ走査信号ラインを更に含み、前記タッチ感知電極は、前記複数のタッチ感知信号ラインのうち一つに電気的に接続され、前記一つ又は複数の第１タッチ走査電極の各々は、前記複数のタッチ走査信号ラインのうち一つに電気的に接続され、前記一つ又は複数の第２タッチ走査電極の各々は、前記複数のタッチ走査信号ラインのうち一つに電気的に接続される。
【００１４】
選択可能に、前記複数のタッチ感知信号ラインの総数と前記複数のタッチ走査信号ラインの総数との比率は、１：２Ｎであり、Ｎは、１より大きいか又はそれに等しい整数である。
【００１５】
別の側面において、本発明は、本文に記載される相互容量タッチ基板を含む相互容量タッチ制御表示装置を提供する。
【００１６】
別の側面において、本発明は、本文に記載される相互容量タッチ基板を含む相互容量タッチパネルを提供する。
【００１７】
別の側面において、本発明は、本文に記載される相互容量タッチ基板の駆動方法であって、一つ又は複数の第１タッチ走査信号をそれぞれ前記一つ又は複数の第１タッチ走査電極に印加するステップを含む駆動方法を提供する。
【００１８】
選択可能に、前記一つ又は複数の第１タッチ走査信号は、第１タッチ走査期間で印加され、前記方法は、前記第１タッチ走査期間より時間的に後である第２タッチ走査期間で、一つ又は複数の第２タッチ走査信号をそれぞれ前記一つ又は複数の第２タッチ走査電極に印加するステップを更に含む。
【００１９】
選択可能に、前記方法は、一つ又は複数の第２タッチ走査信号をそれぞれ前記一つ又は複数の第２タッチ走査電極に印加するステップを更に含み、前記一つ又は複数の第１タッチ走査信号と前記一つ又は複数の第２タッチ走査信号とは、同相であり、且つ同時に印加される。
【００２０】
選択可能に、前記方法は、一つ又は複数のグラウンド信号をそれぞれ前記一つ又は複数の第２タッチ走査電極に印加するステップを更に含み、前記一つ又は複数の第１タッチ走査信号と前記一つ又は複数のグラウンド信号とは同時に印加される。
【００２１】
選択可能に、前記タッチ感知電極、前記一つ又は複数の第１タッチ走査電極及び前記一つ又は複数の第２タッチ走査電極は、時分割駆動モードで動作され、前記時分割駆動モードは、表示モードと、タッチ制御モードとを含み、前記方法は、前記表示モード期間中において、共通電圧信号を前記タッチ感知電極、前記一つ又は複数の第１タッチ走査電極及び前記一つ又は複数の第２タッチ走査電極に印加するステップと、前記タッチ制御モード期間中において、前記一つ又は複数の第１タッチ走査信号をそれぞれ前記一つ又は複数の第１タッチ走査電極に印加するステップとを含む。
【００２２】
別の側面において、本発明は、本文に記載される相互容量タッチ制御表示装置を駆動するための駆動回路であって、前記タッチ感知電極、前記一つ又は複数の第１タッチ走査電極及び前記一つ又は複数の第２タッチ走査電極は、時分割駆動モードで動作され、前記時分割駆動モードは、表示モードと、タッチ制御モードとを含み、前記駆動回路は、前記表示モード期間中において、共通電圧信号を前記タッチ感知電極、前記一つ又は複数の第１タッチ走査電極及び前記一つ又は複数の第２タッチ走査電極に印加し、前記タッチ制御モード期間中において、一つ又は複数の第１タッチ走査信号をそれぞれ前記一つ又は複数の第１タッチ走査電極に印加するように構成される電気回路を含む、駆動回路を提供する。
【図面の簡単な説明】
【００２３】
以下の図面は、ただ開示された様々な実施例に係る説明の目的で用いられる例であり、本発明の範囲を限定することを意図するものではない。
【００２４】
【図１】本開示に係る幾つかの実施例における相互容量タッチ基板の構造を示す模式図である。
【００２５】
【図２】本開示に係る幾つかの実施例における図１における相互容量タッチ基板のＡ−Ａ’線に沿った断面図である。
【００２６】
【図３】本開示に係る幾つかの実施例における図１における相互容量タッチ基板のＡ−Ａ’線に沿った断面図である。
【００２７】
【図４】本開示に係る幾つかの実施例における図１における相互容量タッチ基板のＡ−Ａ’線に沿った断面図である。
【００２８】
【図５】本開示に係る幾つかの実施例におけるタッチ感知電極ブロックの構造を示す模式図である。
【００２９】
【図６】本開示に係る幾つかの実施例における相互容量タッチ基板のタッチ制御繰り返しユニットの構造を示す模式図である。
【００３０】
【図７】本開示に係る幾つかの実施例における相互容量タッチ基板のタッチ制御繰り返しユニットの構造を示す模式図である。
【００３１】
【図８】本開示に係る幾つかの実施例における複数のタッチ信号ラインと駆動回路の間の電気的接続を示す模式図である。
【発明を実施するための形態】
【００３２】
次に、以下の実施例を参照しながら本開示をより詳しく記述する。説明すべきことは、幾つかの実施例に対する以下の説明は、ただ説明及び記述の目的で本文に記載される。網羅的であること、又は開示された正確な形式に限定されることを意図するものではない。
【００３３】
従来のタッチ基板及びタッチパネルにおいて、タッチ電極及びタッチ信号ラインの存在は、従来のタッチ基板及びタッチパネルの開口率を厳しく制限する。また、従来のタッチ基板及びタッチパネルにおけるタッチ検出は、タッチ電極の配置によってデータライン及びゲートラインの干渉を受けることが多く、誤ったタッチ検出を招く結果となる。更に、一部の従来のタッチ基板及びタッチパネルは、タッチ電極ブロックに電気的に接続される複数のタッチ信号ラインを含む。前記複数のタッチ信号ラインを形成するには、追加的なパターニング工程を必要とする。前記複数のタッチ信号ラインの存在は、表示パネルの開口率にも影響する。
【００３４】
従って、本開示は、とりわけ、関連技術の限界及び弱点による一つ又は複数の問題点を実質的に予防する相互容量タッチ基板、相互容量タッチ制御表示装置、相互容量タッチパネル、相互容量タッチ基板の駆動方法及び相互容量タッチ制御表示装置を駆動するための駆動回路を提供する。一つの側面において、本開示は、第１方向及び第２方向に沿って複数のタッチ電極ブロックのマトリックスを有する相互容量タッチ基板を提供する。前記複数のタッチ電極ブロックは、複数のタッチ制御繰り返しユニットに分けられる。幾つかの実施例において、前記複数のタッチ制御繰り返しユニットの各々は、タッチ感知電極と、前記タッチ感知電極の第１側における一つ又は複数の第１タッチ走査電極と、前記タッチ感知電極の第２側における一つ又は複数の第２タッチ走査電極とを含み、前記第１側は前記第２側と異なる。選択可能に、前記タッチ感知電極は、前記一つ又は複数の第１タッチ走査電極の各々の少なくとも一部及び前記一つ又は複数の第２タッチ走査電極の各々の少なくとも一部に当接する。選択可能に、前記複数のタッチ制御繰り返しユニットは、互いに電気的に絶縁される。
【００３５】
図１は、本開示に係る幾つかの実施例における相互容量タッチ基板の構造を示す模式図である。図１を参照すると、幾つかの実施例における相互容量タッチ基板は、第１方向及び第２方向に沿って複数のタッチ走査電極ブロック１００及び複数のタッチ感知電極ブロック２００のような複数のタッチ電極ブロックのマトリックスを含む。図１に示すように、前記複数のタッチ電極ブロックは、複数のタッチ制御繰り返しユニット１に分けらることが可能である。複数のタッチ制御繰り返しユニット１の各々は、前記相互容量タッチ基板における複数のタッチ電極ブロックのマトリックスの最小繰り返しユニットである。図１は、実質的に前記第２方向に沿って繰り返される複数のタッチ制御繰り返しユニット１のうち３つを示す。選択可能に、前記複数のタッチ電極ブロックは、前記第１方向に沿って繰り返されることも可能である。
【００３６】
幾つかの実施例において、複数のタッチ制御繰り返しユニット１の各々は、タッチ感知電極１０と、タッチ感知電極１０の第１側における一つ又は複数の第１タッチ走査電極２０と、タッチ感知電極１０の第２側における一つ又は複数の第２タッチ走査電極２１とを含む。前記第１側は前記第２側と異なり、例えば、前記第１側は、前記第２側に対向する側である。本電極配置により、前記相互容量タッチ基板は、多数のタッチ検出モードでの使用において互換性がある。
【００３７】
幾つかの実施例において、前記相互容量タッチ基板は、第１タッチ検出モード（例えば、比較的に高解像度のタッチ検出モード）で動作される。タッチイベントが発生する時、タッチ感知電極１０は、前記タッチ電極における容量変化に基づいてタッチ位置を検出する。第１タッチ走査期間で、一つ又は複数の第１タッチ走査信号がそれぞれ一つ又は複数の第１タッチ走査電極２０に提供される。前記容量変化を発生させるタッチ感知電極１０及び一つ又は複数の第１タッチ走査電極２０の場所を確定することにより、タッチ位置が第１座標、例えば、（Ｘ１、Ｙ１）を有すると確定されることが可能である。第２タッチ走査期間で、一つ又は複数の第２タッチ走査信号がそれぞれ一つ又は複数の第２タッチ走査電極２１に提供される。前記容量変化を発生させるタッチ感知電極１０及び一つ又は複数の第２タッチ走査電極２１の場所を確定することにより、２度目にタッチ位置が第２座標、例えば、（Ｘ２、Ｙ２）を有すると確定されることが可能である。同一タッチイベントのタッチ位置が独立に二回確定されるため、前記タッチ位置は、はるかに高まった精度で確定されることが可能である。
【００３８】
幾つかの実施例において、前記相互容量タッチ基板は、第２タッチ検出モード（例えば、比較的に低解像度のタッチ検出モード）で動作される。同一タッチ走査期間で、一つ又は複数の第１タッチ走査信号がそれぞれ一つ又は複数の第１タッチ走査電極２０に提供され、且つ一つ又は複数の第２タッチ走査信号がそれぞれ一つ又は複数の第２タッチ走査電極２１に提供される。前記一つ又は複数の第１タッチ走査信号と前記一つ又は複数の第２タッチ走査信号とは、同相であり、且つ同時に印加される。
【００３９】
幾つかの実施例において、前記相互容量タッチ基板は、第３タッチ検出モード（例えば、比較的に低解像度のタッチ検出モード）で動作される。同一タッチ走査期間で、一つ又は複数の第１タッチ走査信号がそれぞれ一つ又は複数の第１タッチ走査電極２０に提供され、且つ一つ又は複数のグラウンド信号がそれぞれ一つ又は複数の第２タッチ走査電極２１に提供される。前記一つ又は複数の第１タッチ走査信号と前記一つ又は複数のグラウンド信号とは同時に印加される。
【００４０】
低解像度のタッチ検出モード（例えば、前記第２タッチ検出モード及び前記第３タッチ検出モード）で、前記タッチ電極間のカップリングの悪影響を低減することができる。また、２組のタッチ走査電極により、前記２組のタッチ走査電極のうち一つが破損された場合、前記相互容量タッチ基板は、タッチを引き続き検出することができる。
【００４１】
更に、幾つかの実施例において、タッチ感知電極１０、一つ又は複数の第１タッチ走査電極２０及び一つ又は複数の第２タッチ走査電極２１は、時分割駆動モードで動作される。前記時分割駆動モードは、表示モードと、タッチ制御モードと（例えば、前記第１タッチ検出モード、前記第２タッチ検出モード、又は前記第３タッチ検出モード）を含む。タッチ感知電極１０、一つ又は複数の第１タッチ走査電極２０及び一つ又は複数の第２タッチ走査電極２１は、前記表示モード期間中において共通電圧信号を印加するための共通電極である。タッチ感知電極１０、一つ又は複数の第１タッチ走査電極２０及び一つ又は複数の第２タッチ走査電極２１は、前記タッチ制御モード期間中においてタッチ信号を導通するためのタッチ制御電極である。
【００４２】
図１を参照すると、幾つかの実施例において、タッチ感知電極１０は、一つ又は複数の第１タッチ走査電極２０の各々の少なくとも一部及び一つ又は複数の第２タッチ走査電極２１の各々の少なくとも一部に当接する。この設計により、一つ又は複数の第１タッチ走査電極２０の各々とタッチ感知電極１０の間、及び一つ又は複数の第２タッチ走査電極２１の各々とタッチ感知電極１０の間の容量変化を検出することにより、タッチ位置は、独立に確定されることが可能である。例えば、一つ又は複数の第１タッチ走査電極２０の各々における複数のタッチ走査電極ブロック２００のうち少なくとも一つは、タッチ感知電極１０における複数のタッチ感知電極ブロック１００のうち一つに当接する。同様に、一つ又は複数の第２タッチ走査電極２１の各々における複数のタッチ走査電極ブロック２００のうち少なくとも一つは、タッチ感知電極１０における複数のタッチ感知電極ブロック１００のうち一つに当接する。複数のタッチ制御繰り返しユニット１の各々におけるタッチ検出が相互に干渉しないように、複数のタッチ制御繰り返しユニット１は互いに電気的に絶縁される。
【００４３】
幾つかの実施例において、タッチ感知電極１０は、互いに電気的に接続される複数のタッチ感知電極ブロック１００を含み、一つ又は複数の第１タッチ走査電極２０の各々は、複数のタッチ走査電極ブロック２００を含み、一つ又は複数の第２タッチ走査電極２１の各々は、複数のタッチ走査電極ブロック２００を含む。タッチ感知電極１０における複数のタッチ感知電極ブロック１００は、互いに電気的に接続される。一つ又は複数の第１タッチ走査電極２０の各々における複数のタッチ走査電極ブロック２００は、互いに電気的に接続される。一つ又は複数の第２タッチ走査電極２１の各々における複数のタッチ走査電極ブロック２００は、互いに電気的に接続される。一つ又は複数の第１タッチ走査電極２０は、互いに電気的に絶縁され、且つタッチ感知電極１０に電気的に絶縁される。一つ又は複数の第２タッチ走査電極２１は、互いに電気的に絶縁され、且つタッチ感知電極１０に電気的に絶縁される。例えば、一つ又は複数の第１タッチ走査電極２０の各々における複数のタッチ走査電極ブロック２００のいずれも複数のタッチ感知電極ブロック１００のいずれに電気的に接続されない。一つ又は複数の第２タッチ走査電極２１の各々における複数のタッチ走査電極ブロック２００のいずれも複数のタッチ感知電極ブロック１００のいずれに電気的に接続されない。
【００４４】
幾つかの実施例において、タッチ感知電極１０は、複数のタッチ感知電極ブロック１００を電気的に接続する複数のタッチ感知電極ブリッジ１０１を更に含む。選択可能に、一つ又は複数の第１タッチ走査電極２０の各々は、複数のタッチ走査電極ブリッジ２０１を更に含む。選択可能に、一つ又は複数の第２タッチ走査電極２１の各々は、複数のタッチ走査電極ブリッジ２０１を更に含む。一つ又は複数の第１タッチ走査電極２０の各々における複数のタッチ走査電極ブロック２００は、複数のタッチ走査電極ブリッジ２０１のうち一つ又は複数により互いに電気的に接続される。一つ又は複数の第２タッチ走査電極２１の各々における複数のタッチ走査電極ブロック２００は、複数のタッチ走査電極ブリッジ２０１のうち一つ又は複数により互いに電気的に接続される。複数のタッチ走査電極ブリッジ２０１は、一つ又は複数の第１タッチ走査電極２０のうち任意の２つの間、及び一つ又は複数の第２タッチ走査電極２１のうち任意の２つの間に存在しない。
【００４５】
図２は、本開示に係る幾つかの実施例における図１における相互容量タッチ基板のＡ−Ａ’線に沿った断面図である。図２を参照すると、幾つかの実施例において、前記相互容量タッチ基板は、ベース基板３００と、ベース基板３００上のタッチ感知電極１０と、一つ又は複数の第１タッチ走査電極２０と、一つ又は複数の第２タッチ走査電極２１とを含む。複数のタッチ感知電極ブロック１００、複数のタッチ感知電極ブリッジ１０１、一つ又は複数の第１タッチ走査電極２０及び一つ又は複数の第２タッチ走査電極２１における複数のタッチ走査電極ブリッジ２０１及び複数のタッチ走査電極ブロック２００は、同一層にある。ここに使用されるように、用語「同一層」は、同一ステップで同時に形成される層間の関係を指す。一例において、電極ブロックと電極ブリッジとは、前記電極ブロック及び電極ブリッジが同一材料層上に実行される同一パターニング工程の一つ又は複数のステップの結果として形成される時、同一層にある。別の例において、前記電極ブロック及び電極ブリッジは、前記電極ブロックを形成するステップ及び前記電極ブリッジを形成するステップを同時に実行することにより形成されることが可能である。前記用語「同一層」は、必ずしも断面図における層の厚さ又は層の高さが同一であることを意味するわけではない。
【００４６】
単一パターニング工程で単一マスク板を用いて複数のタッチ感知電極ブロック１００、複数のタッチ感知電極ブリッジ１０１、一つ又は複数の第１タッチ走査電極２０及び一つ又は複数の第２タッチ走査電極２１における複数のタッチ走査電極ブリッジ２０１及び複数のタッチ走査電極ブロック２００を全部同一層に形成させることによって、パターニングステップの数及びマスク板の数を低減することにより製造工程が簡素化されることができる。
【００４７】
選択可能に、複数のタッチ感知電極ブロック１００、一つ又は複数の第１タッチ走査電極２０における複数のタッチ走査電極ブロック２００及び一つ又は複数の第２タッチ走査電極２１における複数のタッチ走査電極ブロック２００は、インジウムスズ酸化物のような透明電極材料で作られる。前記透明材料で作られる電極ブロックにより、前記相互容量タッチ基板の開口率を高める。また、複数のタッチ感知電極ブリッジ１０１、一つ又は複数の第１タッチ走査電極２０における複数のタッチ走査電極ブリッジ２０１及び一つ又は複数の第２タッチ走査電極２１における複数のタッチ走査電極ブリッジ２０１は、インジウムスズ酸化物のような透明電極材料で作られ、前記相互容量タッチ基板の開口率を更に高める。
【００４８】
図３は、本開示に係る幾つかの実施例における図１における相互容量タッチ基板のＡ−Ａ’線に沿った断面図である。図３を参照すると、幾つかの実施例において、複数のタッチ感知電極ブロック１００と複数のタッチ感知電極ブリッジ１０１とは同一第１層にある。選択可能に、一つ又は複数の第１タッチ走査電極２０及び一つ又は複数の第２タッチ走査電極２１における複数のタッチ走査電極ブリッジ２０１と複数のタッチ走査電極ブロック２００とは同一第２層にある。前記第２層は、前記第１層と異なる。
【００４９】
図４は、本開示に係る幾つかの実施例における図１における相互容量タッチ基板のＡ−Ａ’線に沿った断面図である。図４を参照すると、幾つかの実施例において、複数のタッチ感知電極ブロック１００と、一つ又は複数の第１タッチ走査電極２０及び一つ又は複数の第２タッチ走査電極２１における複数のタッチ走査電極ブロック２００とは、同一第１層にある。選択可能に、複数のタッチ感知電極ブリッジ１０１と、複数のタッチ走査電極ブリッジ２０１とは、同一第２層にある。前記第２層は、前記第１層と異なる。
【００５０】
図１を参照すると、幾つかの実施例において、前記相互容量タッチ基板は、複数のサブピクセル領域３０を含み、当該複数のサブピクセル領域３０の各々は、前記相互容量タッチ基板を有する表示パネルにおけるサブピクセルに対応する。図１に示すように、前記複数のタッチ電極ブロックの各々は、複数のサブピクセル領域３０のうち一つにある。例えば、複数のタッチ感知電極ブロック１００の各々は、複数のサブピクセル領域３０のうち一つにあり、複数のタッチ走査電極ブロック２００の各々は、複数のサブピクセル領域３０のうち一つにある。選択可能に、前記複数のタッチ電極ブロックの各々の前記相互容量タッチ基板（例えば、図２に示すようなベース基板３００）上の投影は、複数のサブピクセル領域３０のうち一つの投影と実質的に重なる。
【００５１】
図５は、本開示に係る幾つかの実施例におけるタッチ感知電極ブロックの構造を示す模式図である。図５を参照すると、幾つかの実施例において、前記複数のタッチ電極ブロックの各々は、複数のサブピクセル領域３０のうち４つにある。例えば、複数のタッチ感知電極ブロック１００の各々は、複数のサブピクセル領域３０のうち４つにあり、複数のタッチ走査電極ブロック２００の各々は、複数のサブピクセル領域３０のうち４つにある。選択可能に、前記複数のタッチ電極ブロックの各々の前記相互容量タッチ基板（例えば、図２に示すようなベース基板３００）上の投影は、複数のサブピクセル領域３０の複数のサブピクセル領域の投影と実質的に重なる。
【００５２】
幾つかの実施例において、タッチ感知電極１０、一つ又は複数の第１タッチ走査電極２０及び一つ又は複数の第２タッチ走査電極２１は、時分割駆動モードで動作される。前記時分割駆動モードは、表示モードと、タッチ制御モードとを含む。前記表示モードで、タッチ感知電極１０、一つ又は複数の第１タッチ走査電極２０及び一つ又は複数の第２タッチ走査電極２１は、共通電圧信号を印加するための共通電極である。前記タッチ制御モードで、タッチ感知電極１０、一つ又は複数の第１タッチ走査電極２０及び一つ又は複数の第２タッチ走査電極２１は、タッチ信号を導通するためのタッチ制御電極である。一例において、画像の第１フレームの走査期間中において、タッチ感知電極１０、一つ又は複数の第１タッチ走査電極２０及び一つ又は複数の第２タッチ走査電極２１は、共通電圧信号を印加するための共通電極である。前記画像の第１フレームの走査期間が完了した後、及び画像の第２フレームの走査期間が開始する前に、タッチ感知電極１０、一つ又は複数の第１タッチ走査電極２０及び一つ又は複数の第２タッチ走査電極２１は、タッチ信号を導通するためのタッチ制御電極である。前記画像の第２フレームは、前記画像の第１フレームにより時間的に後であり、前記画像の第１フレーム及び前記画像の第２フレームは、画像の連続的なフレームである。
【００５３】
図１を参照すると、幾つかの実施例において、タッチ感知電極１０は、実質的に前記第１方向に沿って延在する。一つ又は複数の第１タッチ走査電極２０、タッチ感知電極１０及び一つ又は複数の第２タッチ走査電極２１は、実質的に前記第２方向に沿って、例えば、図１において左から右に順に設けられる。図６は、本開示に係る幾つかの実施例における相互容量タッチ基板のタッチ制御繰り返しユニットの構造を示す模式図である。図６を参照すると、一つ又は複数の第１タッチ走査電極２０は、第１電極２０ａと、第２電極２０ｂと、第３電極２０ｃとを含む。一つ又は複数の第２タッチ走査電極２１は、第４電極２１ａと、第５電極２１ｂと、第６電極２１ｃとを含む。第１電極２０ａ、第２電極２０ｂ、第３電極２０ｃ、タッチ感知電極１０、第４電極２１ａ、第５電極２１ｂ及び第６電極２１ｃは、前記第２方向に沿って、例えば、図１において左から右に順に設けられる。第１電極２０ａは、実質的に前記第１方向に沿って、タッチ感知電極１０と実質的に同一の距離に亘って延在する。第６電極２１ｃは、実質的に前記第１方向に沿って、タッチ感知電極１０と実質的に同一の距離に亘って延在する。第２電極２０ｂ、第３電極２０ｃ、第４電極２１ａ及び第５電極２１ｂは、実質的に前記第１方向に沿って、タッチ感知電極１０より小さい距離に亘って延在する。
【００５４】
図６を参照すると、タッチ感知電極１０は、第１区域Ａ１における第１部と、第２区域Ａ２における第２部と、第３区域Ａ３における第３部とを含む。第１区域Ａ１における前記第１部、第２区域Ａ２における前記第２部及び第３区域Ａ３における前記第３部は、前記第１方向に沿って順に設けられる。タッチ感知電極１０の第１区域Ａ１における前記第１部は、第３電極２０ｃ及び第４電極２１ａに当接する。第２区域Ａ２における前記第２部は、第２電極２０ｂ及び第５電極２１ｂに当接する。第３区域Ａ３における前記第３部は、第１電極２０ａ及び第６電極２１ｃに当接する。
【００５５】
図７は、本開示に係る幾つかの実施例における相互容量タッチ基板のタッチ制御繰り返しユニットの構造を示す模式図である。図７を参照すると、前記タッチ制御繰り返しユニットは、実質的に鏡面対称性を有する。例えば、タッチ感知電極１０は、実質的に鏡面対称性を有する。第１タッチ走査電極２０と、第２タッチ走査電極２１とは、互いに対して実質的に鏡面対称性を有する。しかし、図６に示すように、対称的な電極配置は必須ではない。
【００５６】
図８は、本開示に係る幾つかの実施例における複数のタッチ信号ラインと駆動回路の間の電気的接続を示す模式図である。図８を参照すると、幾つかの実施例における相互容量タッチ基板は、複数のタッチ感知信号ライン１０２及び複数のタッチ走査信号ライン２０２を更に含む。タッチ感知電極１０は、複数のタッチ感知信号ライン１０２のうち一つに電気的に接続される。前記一つ又は複数の第１タッチ走査電極の各々（例えば、第１電極２０ａ、第２電極２０ｂ及び第３電極２０ｃ）は、複数のタッチ走査信号ライン２０２のうち一つに電気的に接続される。前記一つ又は複数の第２タッチ走査電極の各々（例えば、第４電極２１ａ、第５電極２１ｂ及び第６電極２１ｃ）は、複数のタッチ走査信号ライン２０２のうち一つに電気的に接続される。幾つかの実施例において、複数のタッチ感知信号ライン１０２の総数と複数のタッチ走査信号ライン２０２の総数の比率は、１：２Ｎであり、Ｎは、１より大きいか又はそれに等しい整数である。図８に示すように、複数のタッチ感知信号ライン１０２の総数と複数のタッチ走査信号ライン２０２の総数の比率は、１：６である。選択可能に、複数のタッチ感知信号ライン１０２の総数と複数のタッチ走査信号ライン２０２の総数の比率は、１：２である。選択可能に、複数のタッチ感知信号ライン１０２の総数と複数のタッチ走査信号ライン２０２の総数の比率は、１：４である。複数のタッチ感知信号ライン１０２及び複数のタッチ走査信号ライン２０２は、前記相互容量タッチ基板を有する装置における駆動回路２に電気的に接続される。
【００５７】
別の側面において、本開示は、本文に記載される相互容量タッチ基板を有する相互容量タッチパネルを提供する。選択可能に、前記相互容量タッチパネルは、アドオン型タッチパネルである。選択可能に、前記相互容量タッチパネルは、ＯＧＳ（Ｏｎｅ  Ｇｌａｓｓ  Ｓｏｌｕｔｉｏｎ、カバーガラス一体型）型タッチパネルである。選択可能に、前記相互容量タッチパネルは、ＧＦＦ（Ｇｌａｓｓ‐Ｆｉｌｍ‐Ｆｉｌｍ、カバーガラス＋ＩＴＯフィルムセンサー2枚）型タッチパネルである。選択可能に、複数のデータラインのベース基板上の投影は、前記複数のタッチ電極ブロック（例えば、前記複数のタッチ走査電極ブロック、前記一つ又は複数の第１タッチ走査電極の複数のタッチ走査電極ブロック及び前記一つ又は複数の第２タッチ走査電極の複数のタッチ走査電極ブロック）の投影と実質的に重ならない。
【００５８】
別の側面において、本開示は、本文に記載される相互容量タッチ基板を有する相互容量タッチ制御表示パネルを提供する。選択可能に、前記相互容量タッチ制御表示パネルは、オンセルタッチ制御表示パネルである。選択可能に、前記相互容量タッチ制御表示パネルは、インセルタッチ制御表示パネルである。選択可能に、前記相互容量タッチ制御表示パネルは、複数のサブピクセルを含み、当該複数のサブピクセルの各々は、前記相互容量タッチ基板のサブピクセル領域に対応する。選択可能に、前記複数のタッチ感知電極ブロックの各々は、前記複数のサブピクセルのうち一つにあり、前記複数のタッチ走査電極ブロックの各々は、前記複数のサブピクセルのうち一つにある。
【００５９】
別の側面において、本開示は、本文に記載される相互容量タッチ基板を有する相互容量タッチ制御表示装置を提供する。タッチ制御表示装置の適切な例は、電子ペーパー、携帯電話、タブレットコンピュータ、テレビ、モニタ、ノートＰＣ、デジタルアルバム、ＧＰＳ等を含むが、これらに限定されない。
【００６０】
幾つかの実施例において、前記相互容量タッチ制御表示装置は、前記相互容量タッチ制御表示装置の画像表示及びタッチ検出を駆動するための駆動回路（例えば、図８における駆動回路２を参照）を更に含む。幾つかの実施例において、前記駆動回路は、一つ又は複数の第１タッチ走査信号をそれぞれ前記一つ又は複数の第１タッチ走査電極に印加するように構成される電気回路を含む。
【００６１】
幾つかの実施例において、前記タッチ感知電極、前記一つ又は複数の第１タッチ走査電極及び前記一つ又は複数の第２タッチ走査電極は、時分割駆動モードで動作される。前記時分割駆動モードは、表示モードと、タッチ制御モードとを含む。選択可能に、前記駆動回路は、前記表示モード期間中において、共通電圧信号を前記タッチ感知電極、前記一つ又は複数の第１タッチ走査電極及び前記一つ又は複数の第２タッチ走査電極に印加し、前記タッチ制御モードにおいて、一つ又は複数の第１タッチ走査信号をそれぞれ前記一つ又は複数の第１タッチ走査電極に印加するように構成される電気回路を含む。
【００６２】
幾つかの実施例において、前記相互容量タッチ制御表示装置は、第１タッチ検出モード（例えば、比較的に高解像度のタッチ検出モード）で動作される。選択可能に、前記電気回路は、第１タッチ走査期間で、前記一つ又は複数の第１タッチ走査信号をそれぞれ前記一つ又は複数の第１タッチ走査電極に印加し、第２タッチ走査期間で、一つ又は複数の第２タッチ走査信号をそれぞれ前記一つ又は複数の第２タッチ走査電極に印加するように構成され、前記第２タッチ走査期間は、前記第１タッチ走査期間より時間的に後である。前記第１タッチ走査期間で、一つ又は複数の第１タッチ走査信号がそれぞれ前記一つ又は複数の第１タッチ走査電極に提供される。前記容量変化を発生させる前記タッチ感知電極及び前記一つ又は複数の第１タッチ走査電極の場所を確定することにより、タッチ位置が第１座標、例えば、（Ｘ１、Ｙ１）を有すると確定されることが可能である。前記第２タッチ走査期間で、一つ又は複数の第２タッチ走査信号がそれぞれ前記一つ又は複数の第２タッチ走査電極に提供される。前記容量変化を発生させる前記タッチ感知電極及び前記一つ又は複数の第２タッチ走査電極の場所を確定することにより、２度目にタッチ位置が第２座標、例えば、（Ｘ２、Ｙ２）を有すると確定されることが可能である。同一タッチイベントのタッチ位置が独立に二回確定されるため、前記タッチ位置は、はるかに高まった精度で確定されることが可能である。
【００６３】
幾つかの実施例において、前記相互容量タッチ基板は、第２タッチ検出モード（例えば、比較的に低解像度のタッチ検出モード）で動作される。選択可能に、前記電気回路は、第１タッチ走査期間で、前記一つ又は複数の第１タッチ走査信号をそれぞれ前記一つ又は複数の第１タッチ走査電極に印加し、一つ又は複数の第２タッチ走査信号をそれぞれ前記一つ又は複数の第２タッチ走査電極に印加するように構成される。同一タッチ走査期間で、一つ又は複数の第１タッチ走査信号がそれぞれ前記一つ又は複数の第１タッチ走査電極に提供され、且つ一つ又は複数の第２タッチ走査信号がそれぞれ前記一つ又は複数の第２タッチ走査電極に提供される。前記一つ又は複数の第１タッチ走査信号と前記一つ又は複数の第２タッチ走査信号とは、同相であり、且つ同時に印加される。
【００６４】
幾つかの実施例において、前記相互容量タッチ基板は、第３タッチ検出モード（例えば、比較的に低解像度のタッチ検出モード）で動作される。選択可能に、前記電気回路は、第１タッチ走査期間で、前記一つ又は複数の第１タッチ走査信号をそれぞれ前記一つ又は複数の第１タッチ走査電極に印加し、一つ又は複数のグラウンド信号をそれぞれ前記一つ又は複数の第２タッチ走査電極に印加するように構成される。同一タッチ走査期間で、一つ又は複数の第１タッチ走査信号がそれぞれ前記一つ又は複数の第１タッチ走査電極に提供され、且つ一つ又は複数のグラウンド信号がそれぞれ前記一つ又は複数の第２タッチ走査電極に提供される。前記一つ又は複数の第１タッチ走査信号と前記一つ又は複数のグラウンド信号とは同時に印加される。
【００６５】
別の側面において、本開示は、前記相互容量タッチ基板の駆動方法を提供する。幾つかの実施例において、前記方法は、一つ又は複数の第１タッチ走査信号をそれぞれ前記一つ又は複数の第１タッチ走査電極に印加するステップを含む。選択可能に、前記一つ又は複数の第１タッチ走査信号は、第１タッチ走査期間で印加され、前記方法は、前記第１タッチ走査期間より時間的に後である第２タッチ走査期間で、一つ又は複数の第２タッチ走査信号をそれぞれ前記一つ又は複数の第２タッチ走査電極に印加するステップを更に含む。選択可能に、前記方法は、一つ又は複数の第２タッチ走査信号をそれぞれ前記一つ又は複数の第２タッチ走査電極に印加するステップを更に含み、前記一つ又は複数の第１タッチ走査信号と前記一つ又は複数の第２タッチ走査信号とは、同相であり、且つ同時に印加される。選択可能に、前記方法は、一つ又は複数のグラウンド信号をそれぞれ前記一つ又は複数の第２タッチ走査電極に印加するステップを更に含み、前記一つ又は複数の第１タッチ走査信号と前記一つ又は複数のグラウンド信号とは同時に印加される。
【００６６】
幾つかの実施例において、前記タッチ感知電極、前記一つ又は複数の第１タッチ走査電極及び前記一つ又は複数の第２タッチ走査電極は、時分割駆動モードで動作される。前記時分割駆動モードは、表示モードと、タッチ制御モードとを含む。選択可能に、前記方法は、前記表示モード期間中において、共通電圧信号を前記タッチ感知電極、前記一つ又は複数の第１タッチ走査電極及び前記一つ又は複数の第２タッチ走査電極に印加するステップと、前記タッチ制御モード期間中において、前記一つ又は複数の第１タッチ走査信号をそれぞれ前記一つ又は複数の第１タッチ走査電極に印加するステップとを含む。
【００６７】
上記の本発明の実施例の記述は、ただ説明及び記述の目的で提出されたものである。これは、網羅的であること、或いは本発明を開示された正確な形式又は開示された例示的な実施例に限定することを意図するものではない。従って、上記の記述は、限定的なものではなく、説明的なものと見なされるべきである。明らかに、当業者にとって、多様な修正及び変更が自明である。本発明の原理及びその最適モードの実際応用を説明するために、これらの実施例が選択及び記載され、これにより、当業者が、本発明が特定用途又は考慮される実施形態に適用される様々な実施例及び様々な変形を理解可能にする。本発明の範囲は、ここに添付される特許請求の範囲及びその等価物により限定され、その中で、特に明記のない限り、すべての用語は、その最も広い合理的な意味を意味することを意図する。従って、「発明」、「本発明」等の用語は、必ずしも特許請求の範囲を具体的な実施例に限定するものではなく、本発明の例示的な実施例に対する言及は、本発明に対する限定を意味するものではなく、且つこのような限定が推論されない。本発明は、添付された請求項の範囲の精神及び範囲のみにより限定される。また、これらの請求項は、名詞又は要素につけられる「第１」、「第２」等の用語の使用が言及されることが可能である。このような用語は、命名法として理解されるべきであり、既に具体的な数量が与えられていない限り、このような命名法により修飾される要素の数量に対する限定として解釈されないべきである。記載されたいかなる効果及び利点が本発明のすべての実施例に適用されないことも可能である。理解すべきことは、以下の請求項により限定される本発明の範囲を逸脱せずに、当業者は、記載された実施例に対する変形を行うことが可能である。また、本開示におけるいかなる要素又は構成部品も、該要素又は構成部品が以下の請求項に明示的に記述されるか否かを問わず、公衆に貢献されるように意図されない。
【図１】
0006954314.tif 000002
【図２】
0006954314.tif 000003
【図３】
0006954314.tif 000004
【図４】
0006954314.tif 000005
【図５】
0006954314.tif 000006
【図６】
0006954314.tif 000007
【図７】
0006954314.tif 000008
【図８】
0006954314.tif 000009